(57)【特許請求の範囲】
【請求項１】
水平な底部と底部の両側から起立する両側壁部とからなる開口部巾狭の長尺支持フレームと、長尺支持フレーム内に移動自在に嵌合されて当該長尺支持フレームとでシートを挟持する押えフレームと、押えフレーム内に嵌合して当該押えフレームを上記両側壁部側に押圧する押圧部材とからなるシートの定着装置において、上記押えフレームを上記両側壁部と同一角度に形成した左右一対の係止フレームと、各係止フレームの基端に任意の角度上方又は下方に傾斜して一体に連設した左右一対の底部フレームと、少なくとも一方の底部フレームに長手方向に沿って形成したガイド溝とで構成し、他方の底部フレームをガイド溝内にスライド自在に嵌合させ、次いで上記押圧部材で上記各係止フレームを上記両側壁部に押し当てた時上記一対の底部フレームを傾斜させて上記他方の底部フレームが上記ガイド溝内に復帰して侵入するのを阻止させることを特徴とするシートの定着装置。
【請求項２】
ガイド溝を備えた一方の底部フレームの端部上方に押圧部材に当接するストッパを起立させたことを特徴とする請求項１のシートの定着装置。
【請求項３】
一方の底部フレームと他方の底部フレームにそれぞれ長手方向に沿ってガイド溝を形成し、各底部フレーム同士を各ガイド溝を介してスライド自在に嵌合させたことを特徴とする請求項１のシートの定着装置。
【請求項４】
水平な底部と底部の両端から起立する両側壁部とからなる開口部巾狭の長尺支持フレームと、長尺支持フレーム内に移動自在に嵌合されて当該長尺フレームとでシートを挾持する押えフレームと、押えフレーム内に嵌合して当該押えフレームを上記両側壁部側に押圧する押圧部材とからなるシートの定着装置において、上記押えフレームを中央の支持板と、支持板の両側に長手方向に沿って形成したガイド溝と、上記両側壁部と同一角度に形成した左右一対の係止フレームと、各係止フレームの基端に任意の角度上方又は下方に傾斜して一体に連設した底部フレームとで構成し、各底部フレームを上記各ガイド溝内にスライド自在に嵌合させ、次いで上記押圧部材で上記各係止フレームを上記両側壁部に押し当てた時上記一対の底部フレームを傾斜させて上記各底部フレームが上記ガイド溝内に復帰して侵入するのを阻止させることを特徴とするシートの定着装置。
【請求項５】
水平な底部と底部の両端から起立する両側壁部とからなる開口部巾狭の長尺支持フレームと、長尺支持フレーム内に移動自在に嵌合されて当該長尺支持フレームとでシートを挾持する押えフレームと、押えフレーム内に嵌合して当該押えフレームを上記両側壁部側に押圧する押圧部材とからなるシートの定着装置において、上記押えフレームを中央の水平支持板と、上記両側壁部と同一角度に形成した左右一対の係止フレームと、各係止フレームの基端に任意の角度上方又は下方に傾斜して一体に連設した底部フレームと、各底部フレームに長手方向に沿って形成したガイド溝とで構成し、各ガイド溝内に水平支持板の両端部をそれぞれ嵌合させ、次いで上記押圧部材で上記各係止フレームを上記両側壁部に押し当てた時上記一対の底部フレームを傾斜させて上記各底部フレームが上記ガイド溝内に復帰して侵入するのを阻止させることを特徴とするシートの定着装置。
【請求項６】
ガイド溝とガイド溝内に嵌合する底部フレーム又は支持板との間に当該底部フレームがガイド溝内に復帰するのを阻止する滑り止め機構又は引掛機構を設けたことを特徴とする請求項１、２、３、４又は５のシートの定着装置。
【請求項７】
長尺支持フレームの内面、又は押えフレームの外面の全域又は一部にシートにフリクションを付与する滑り止め機構を設けたことを特徴とする請求項１、２、３、４、５又は６のシートの定着装置。
【請求項８】
滑り止め機構がのこぎり歯状の溝、多数の凹凸、ざらざらとした粗面、ふき付けた塗料、ふき付けた多数の粒子又は粘着させたゴムからなる請求項７のシートの定着装置。
【請求項９】
左右一対の係止フレームの上端を長尺支持フレームの両側壁部よりそれぞれ上方に延長してカールを形成し、このカールの端部にシートを下方に付勢する突起を設けたことを特徴とする請求項１、２、３、４、５、６、７又は８のシートの定着装置。
【発明の詳細な説明】
【発明が属する技術分野】
本発明は、温室たるビニールハウスにおいて、透光性シートをハウスの骨組に定着させるシートの定着装置に関する。
【０００１】
【従来の技術】
この種ビニールハウスにおけるシートの定着装置は開口部巾狭の長尺支持フレームと、この支持フレーム内に嵌合する弾性な係止線条とからなり、支持フレーム内に係止線条でビニールシートを押圧して定着させるものが一般的である。
【０００２】
他方、０．１ミリメートル程度の薄い軟質フィルムを温室用のシートとして使用した時、このシートの定着に良好なシートの定着装置として、例えば、実公昭５４−４２９９２号公報，実用新案登録第２０９４６２８号公報に示すような技術が開発されている。
【０００３】
上記公報に開示されたシートの定着装置は開口部巾狭の長尺支持フレームと、長尺支持フレーム内に嵌合されて当該長尺支持フレームとでシートを挾持する分割可能な押えフレームと、押えフレーム内に嵌合して当該押えフレームを長尺支持フレームの内壁に押圧する押圧部材とからなり、押えフレームには底部中央に長手方向に沿ってストレートなミシン線又は長手方向に沿って蛇行する切り込みを形成したものである。
【０００４】
上記各シートの定着装置によれば、長尺支持フレーム内に押えフレームを介してシートを嵌入させ、押えフレームを押圧部材で両サイドに押圧するとミシン線又は切り込みを介して押えフレームが左右に二分割されながら長尺支持フレームと協働してシートを挾持するからシートのシワの発生が防止でき、あるいは、押えフレームによって押圧部材がシートに直接当らない為、押圧部材により、シートを傷つけるのを防止でき、又はシートのこすれによる破断が防止できる。
【０００５】
【発明が解決しようとする課題】
しかしながら、ミシン線を形成した実公昭５４−４２９９２号公報に示すシートの定着装置は、一度ミシン線で切断してしまうと再使用ができなくなり、経済性に劣る。しかも押えフレームで長尺支持フレーム内にシートを押し込もうとするとき、シートの張力、いいかえればシートが水平状態に戻ろうとする自己復元力が押えフレームの背面に作用し、ミシン線を中心にして押えフレームを内側に折り曲げてしまったり、逆にミシン線を中心にして逆向きにそりかえってしまう場合があり、このような動きを抑制しながらシートの定着作業を行うため、作業性が劣るものである。
【０００６】
更に、ミシン線を介して押えフレームを分割させるにはばね力の強い又は押圧力の強い押圧部材が必要となり、作業性を著しく低下させ、その部品の加工性が困難となる。そこでミシン線が容易に切断できる材質、例えば薄いプラスチック製の押えフレームを成形すると、逆にこの押えフレームが押圧部材の押圧力に負けて部品的又は全体的に変形し、その上シートにシワが発生してしまう他、押えフレームが劣化しやすく耐久性に劣る。
【０００７】
他方、中央に蛇行する切り込みを形成した押えフレームを使用する実用新案登録第２０９４６２８号公報に示すシートの定着装置によれば、押えフレームの折れ曲りや、そり返りの不具合は若干解消される反面、シートの張り替え時における再利用の操作が著しく面倒である。即ち、シートの定着時に押圧部材で押圧されると押えフレームが左右に二分割されて離れてしまう。この為シートを張り替える時、長尺支持フレーム内からそれぞれ独立して二つの分割された押えフレームを取り出し、再び新しいシートを嵌入して押えフレームでシートを挾持しょうとする時一枚一枚左右の押えフレームを切り込み面の位置合せをしながら長尺支持フレーム内に嵌合させなければならず、この時シートからの張力が各押えフレームの背面に作用しているから、この張力に抗して位置合せしながら嵌合操作を行なわなければならず、押えフレームの装着作業が著しく面倒で作業能率を低下させる原因となっている。
【０００８】
更に上記実用新案登録第２０９４６２８号公報には押えフレームの底部を複数の切り込みによってエキスパンダ式に拡径させる技術も開示されているが、この方式によると押圧部材によって一度横方向に拡径させると自己復元力によって元の位置まで復帰できず横巾が拡ったままの状態になってしまう場合がある。この為、シートの張り替え時に再使用すると長尺支持フレーム内から取り出す作業が面倒であり、又再び長尺支持フレーム内に嵌合させる時、横巾が大きすきで装着作業が面倒となる。更に又、上記のように押えフレームを使用したいろいろな従来技術なおいても、例えば、硬質の合成樹脂シート又は網目状のネットからなるシートを定着する場合、このシートは滑りやすいので風等による強い外力が作用すると押えフレームと長尺支持フレームとの間を滑って抜け出てしまう場合もある。
【０００９】
そこで、本発明の目的はシートのシワの発生，破断を防止するばかりでなく、押圧力が弱い押圧部材を使用でき、シートの張り替え時にくり返し再利用が可能であり、押えフレームの着脱作業を著しく向上でき、更にシートが滑って抜け出るのを防止できるビニールハウスにおけるシートの定着装置を提供することである。
【００１０】
【課題を解決するための手段】
上記の目的を達成するため、本発明の一つの手段は、水平な底部と底部の両側から起立する両側壁部とからなる開口部巾狭の長尺支持フレームと、長尺支持フレーム内に移動自在に嵌合されて当該長尺支持フレームとでシートを挟持する押えフレームと、押えフレーム内に嵌合して当該押えフレームを上記両側壁部側に押圧する押圧部材とからなるシートの定着装置において、上記押えフレームを上記両側壁部と同一角度に形成した左右一対の係止フレームと、各係止フレームの基端に任意の角度上方又は下方に傾斜して一体に連設した左右一対の底部フレームと、少なくとも一方の底部フレームに長手方向に沿って形成したガイド溝とで構成し、他方の底部フレームをガイド溝内にスライド自在に嵌合させ、次いで上記押圧部材で上記各係止フレームを上記両側壁部に押し当てた時上記一対の底部フレームを傾斜させて上記他方の底部フレームが上記ガイド溝内に復帰して侵入するのを阻止させることを特徴とするものである。
シートの定着装置。
【００１１】
この場合、ガイド溝を備えた一方の底部フレームの端部上方に押圧部材に当接するストッパを起立させるのが好ましい。
【００１２】
同じく、一方の底部フレームと他方の底部フレームにそれぞれ長手方向に沿ってガイド溝を形成し、各底部フレーム同士を各ガイド溝を介してスライド自在に嵌合させるのが好ましい。
【００１３】
同じく、更に別の手段は、 水平な底部と底部の両端から起立する両側壁部とからなる開口部巾狭の長尺支持フレームと、長尺支持フレーム内に移動自在に嵌合されて当該長尺フレームとでシートを挾持する押えフレームと、押えフレーム内に嵌合して当該押えフレームを上記両側壁部側に押圧する押圧部材とからなるシートの定着装置において、上記押えフレームを中央の支持板と、支持板の両側に長手方向に沿って形成したガイド溝と、上記両側壁部と同一角度に形成した左右一対の係止フレームと、各係止フレームの基端に任意の角度上方又は下方に傾斜して一体に連設した底部フレームとで構成し、各底部フレームを上記各ガイド溝内にスライド自在に嵌合させ、次いで上記押圧部材で上記各係止フレームを上記両側壁部に押し当てた時上記一対の底部フレームを傾斜させて上記各底部フレームが上記ガイド溝内に復帰して侵入するのを阻止させることを特徴とするものである
【００１４】
同じく、更に別の手段は、 水平な底部と底部の両端から起立する両側壁部とからなる開口部巾狭の長尺支持フレームと、長尺支持フレーム内に移動自在に嵌合されて当該長尺支持フレームとでシートを挾持する押えフレームと、押えフレーム内に嵌合して当該押えフレームを上記両側壁部側に押圧する係止線条４又は係止板からなる押圧部材６とで構成し、上記押えフレームを中央の水平支持板と、上記両側壁部と同一角度に形成した左右一対の係止フレームと、各係止フレームの基端に任意の角度上方又は下方に傾斜して一体に連設した底部フレームと、各底部フレームに長手方向に沿って形成したガイド溝とで構成し、各ガイド溝内に水平支持板の両端部をそれぞれ嵌合させ、次いで上記押圧部材で上記各係止フレームを上記両側壁部に押し当てた時上記一対の底部フレームを傾斜させて上記各底部フレームが上記ガイド溝内に復帰して侵入するのを阻止させることを特徴とするものである。
【００１５】
上記各手段において、ガイド溝とガイド溝内に嵌合する底部フレーム又は支持板との間に当該底部フレームがガイド溝内に復帰するのを阻止する滑り止め機構又は引掛機構を設けるのが好ましい。
【００１６】
更に上記各手段において、シートの滑りを防止する手段として、長尺支持フレームの内面又は押えフレームの外面の全域又は一部にシートにフリクションを付与する滑り止め機構を設けるのが好ましい。
【００１７】
この場合、滑り止め機構がのこぎり歯状の溝，多数の凹凸，ざらざらとした粗面，ふき付けた塗料，ふき付けた多数の粒子又は粘着させたゴムからなるのが好ましい。
【００１８】
同じく、滑り止め機構として左右一対の係止フレームの上端を長尺支持フレームの両側壁部よりそれぞれ上方に延長してカールを形成し、このカールの端部にシートを下方に付勢する突起を設けても良い。
【００１９】
【発明の実施の形態】
以下本発明の実施の形態を図にもとづいて説明する。
【００２０】
図１乃至図３は、本発明の一実施の形態を示す。
【００２１】
このシートの定着装置は、水平な底部１ａと底部１Ａの両側から起立する両側壁部１ｂ、１ｂとからなる開口部巾狭の長尺支持フレーム１と、長尺支持フレーム１内に移動自在に嵌合されて当該長尺支持フレーム１とでシート２を挟持する押えフレーム３と、押えフレーム３内に嵌合して当該押えフレーム３を上記両側壁部１ｂ、１ｂ側に押圧する押圧部材６とからなるものである。
そして、上記押えフレーム３を上記両側壁部１ｂと同一角度に形成した左右一対の係止フレーム７、７と、各係止フレーム７、７の基端に任意の角度上方又は下方に傾斜して一体に連設した左右一対の底部フレーム８、１０と、少なくとも一方の底部フレーム８に長手方向に沿って形成したガイド溝９とで構成し、他方の底部フレーム１０をガイド溝９内にスライド自在に嵌合させ、次いで上記押圧部材６で上記各係止フレーム７、７を上記両側壁部１ｂ、１ｂに押し当てた時上記一対の底部フレーム８、１０を傾斜させて上記他方の底部フレーム１０が上記ガイド溝９内に復帰して侵入するのを阻止させるものである。
押圧部材６としては係止線条４と係止板片とを独立して単独で使用してもよく同時に協働して使用してもよい。シートとしては合成樹脂シート又は網目状のネットからなるシートが使用される。
【００２２】
長尺支持フレーム１は従来と同じく鳩尾状の溝を備え、水平な底部１ａとこの底部１ａの両端から斜め上方に起立する一対の両側壁部１ｂ，１ｂと上端にカール１ｃを設けた断面蟻溝状のフレームからなる。同じく押えフレーム３も長尺支持フレーム１と相似形に形成され、やはり鳩尾状の溝を備え、長尺支持フレーム１の内壁と押えフレーム９の外面とでシート２を均一に挾持し、これによりシート２にシワが発生したり、破断が生じるのを防止している。
【００２３】
押えフレーム３は横方向スライド自在に配設した左右一対の係止フレーム７，７と、一方の係止フレーム７の基端に連設した底部フレーム８と、他方の係止フレーム７の基端に連設した板状底部フレーム１０とで構成している。左右一対の係止フレーム７，７の角度は長尺支持フレーム１における両側壁部１ｂ，１ｂの角度と同一もしくはほぼ同一に形成され、その上方には彎曲片たるカール１１，１１が連設されている。
【００２４】
各係止フレーム７，７に連設した底部フレーム８，１０は任意の角度下方に傾斜して一体に結合され、これにより係止フレーム７，７と底部フレーム８，１０とで形成する鳩尾状の溝１２の角度θ２は長尺支持フレーム側の鳩尾状の溝１３の角度θ１より大きくなるように成形される。
【００２５】
一方の底部フレーム８には長手方向に沿ってガイド溝９が形成され、通常はこのガイド溝９内に他方の底部フレーム１０が横方向スライド自在に挿入されれている。押えフレーム３は一方の係止フレーム７側の底部フレーム１０をガイド溝９内に挿入しておくことにより二つの両側係止フレーム１ｂ，１ｂ間の横巾は長尺支持フレーム１の底部１ａの横巾より小さくされ、この状態で搬送，格納又は長尺支持フレーム１内への着脱操作が行なわれる。
【００２６】
即ち、シート２を定着する場合には先ず長尺支持フレーム１内に押えフレーム３を介して押し込む。押えフレーム３は係止フレーム７，７を圧縮した状態で長尺支持フレーム１の開口部より斜めにして嵌合させる。この状態で、例えば係止線条４を押えフレーム３内に自己の弾性に抗して強制的に嵌合させると、この係止線条４が係止フレーム７，７を左右方向に押圧し、これにより係止フレーム７，７と底部フレーム８，１０はガイド溝９に案内されながら水平にスライドし、長尺支持フレーム１の内壁に各係止フレーム７，７が押し当てられ、結果的にシート２が係止フレーム７，７と長尺支持フレーム１における両側壁部１ｂ，１ｂとで挾持され、抜けなくなる。
【００２７】
他方、シート２の張り替え時には係止線条をはずし、指等で係止フレーム７，７を内側に押すと係止フレーム７，７と底部フレーム８，１０がガイド溝９に沿って内方にスライドし、横巾を小さくした状態で押えフレーム３を長尺支持フレーム１から取り出すことができる。
【００２８】
ここで注目すべきところは、係止線条４で左右に係止フレーム７，７が押し拡げられた時、図３に示すようにガイド溝９の出口端付近まで他方の底部フレーム１０の端部が移動し、しかも係止フレーム７，７が両壁部１ｂ，１ｂに当接するが、この時押えフレーム３における二つの底部フレーム８，１０が下方に向けて傾斜する。この為二つの底部フレーム８，１０はほぼＶ字状となり、シート２に風雨等の外力による荷重が作用しても押えフレーム３自体は中央から上方に向けて折れ曲がるのが防止される。
【００２９】
同様にシート２から係止フレーム７，７と底部フレーム１０，１０に対して図３（Ａ）の矢印Ｘ，Ｘ方向に向けて押えフレーム３全体を圧縮させようとする力が作用してもこの圧縮方向の力は各係止フレーム７，７を斜め内側に押圧し、底部フレーム８，１０がより鋭角なＶ字状となる角度となる。その結果図３（Ｂ）に示すように他方の底部フレーム１０の端部上面がガイド溝９の外端エッジＡに引っかかり、同じく底部フレーム１０の先端下部エッジＢがガイド溝９の下面に鋭角に引っかかり、二つのエッジＡ，Ｂの引っかかり作用で他方の底部フレーム１０がガイド溝９内に侵入せずつっ張った状態を保持する。いいかえれば押えフレーム３が横方向にスライドした状態では長尺支持フレーム１と協働してシート２を均一に挾持し、シート２に外力が作用しても押えフレーム３は圧縮せず、シート２を挾持した状態を維持できる。更に底部フレーム８，１０がＶ字状となってつっ張ることにより長尺支持フレーム１とＶ字状の押えフレーム３とが合体した剛性の構造体となる効果も発生する。
【００３０】
次に、図４乃至図１１は本発明の他の実施の形態に係り、これらは押えフレーム３に他方の底部フレーム１０がガイド溝９内に復帰するのを阻止する滑り止め機構又は引掛機構を設けた実施の形態を示す。
【００３１】
これらの実施の形態に係るシートの定着装置は、図１の実施の形態と同じく、開口部巾狭の長尺支持フレーム１と、長尺支持フレーム１内に嵌合されて当該長尺支持フレーム１とでシート２を挾持する押えフレーム３と、押えフレーム３内に嵌合して当該押えフレーム３を長尺支持フレーム１の内壁側に押圧する押圧部材６とからなるねのである。そして押えフレーム３を横方向スライド自在に配設した左右一対の係止フレーム７と、各係止フレーム７の基端に任意の角度下方に傾斜して一体に連設した底部フレーム８，１０と、一方の底部フレーム８に長手方向に沿って形成したガイド溝９とで構成し、他方の底部フレーム１０をガイド溝９内にスライド自在に嵌合させた構成に於て共に一致する。
【００３２】
図４の実施の形態では、ガイド溝９の下面に滑り止め機構と引掛機構１４を兼ねたのこぎり歯状の歯１５を多数形成したものであり、他方の底部フレーム１０の先端下部エッジＢがこれらの歯１５のいずれか、好ましくは端部側の歯１５に引掛けられてガイド溝９内に侵入するのを防止させている。
【００３３】
同じく、図５の実施の形態では、他方の底部フレーム１０の上面に滑り止め機構に引掛機構１６とを兼ねたのこぎり歯状の歯１７を多数形成し、この歯１７にガイド溝９の出口端のエッジＡが引掛けられるようにしたものである。
【００３４】
同じく、図６の実施の形態では、滑り止め機構１８として他方の底部フレーム１０の上面とガイド溝９の下面とにそれぞれザラザラとした凹凸１９，２０をそれぞれ設けたものである。
【００３５】
同じく、図７の実施の形態は、引掛機構２０として一方の底部フレーム８の先端下部を切欠いて短かくすることにより引掛部２１を形成し、この引掛部２１に他方の底部フレーム１０の先端を引掛けるようにしたものである。
【００３６】
同じく、図８の実施の形態では、引掛機構２２としてガイド溝９の上下面に多数の凹部２２を形成し、他方の底部フレーム１０の外面に凸部２３を形成し、この底部フレーム１０が圧縮方向に押された時凸部２３が凹部２２の一つに嵌合してそれ以上他方の底部フレーム１０が圧縮方向に移動しないようにしているものである。
【００３７】
同じく、図８の実施の形態では、引掛機構２４として、一方の底部フレーム８内のガイド溝９の上下面に楔状の凹部２５を多数形成し、他方の底部フレーム１０の外周に楔状の凸部２６を形成し、他方の底部フレーム１０が圧縮方向の力を受けた時凸部２６の端面が凹部２５の端面又は一方の底部フレーム８の外端面に当接して引掛けられ、その位置からは圧縮方向には移動しないようにしたものである。
【００３８】
この実施の形態では、押えフレーム３を構成する両側の係止フレーム７，７の角度は長尺支持フレーム１の両側壁部１ｂの角度と同じに形成され、各底部フレームム８，１０は水平に形成されているが、各底部フレーム８，１０を下方に傾斜してもよい。
【００３９】
更に、図１０，図１１の実施の形態は、他方の底部フレーム１０と係止フレーム７との間に傾斜した脚部２７を設け、この脚部２７の角度により各底部フレーム８，１０の端部エッジＡ，Ｂが引っかかりやすくして底部フレーム１０の圧縮方向への移動を阻止させたものである。この場合、底部フレーム１０の下方には比較的大きな空間Ｓが形成され、例えば長尺支持フレーム１の底部１ａの中央にビス等を打ち込んだ時このビスと干渉するのを防止できる。
【００４０】
更に、図１２，図１３の実施の形態は、他方の底部フレーム１０にもガイド溝９ａを形成し、左右一対の底部フレーム８，１０同士が各ガイド溝９，９ａを介してスライド自在に嵌合させたものである。この実施の形態では、引掛機構として他方の底部フレーム１０の先端に上下二段のエッジＢ，Ｂが形成され、このエッジＢ，Ｂが一方の底部フレーム８の上面とガイド溝９の下面に斜め方向から喰い込むように引掛けられることからシート２によって押えフレーム３が圧縮に押されてもこのエッジＢ，Ｂのつっ張り力で圧縮するのが阻止される。
【００４１】
図１４の実施の形態は、図１の実施の形態と実質的に同じであるが、この実施の形態では一方の底部フレーム８の端部上方にストッパＳを起立して押圧部材６たる係止線条４に当節させたものである。この場合には押えフレーム３が圧縮方向に力をわ受けた時、図１の実施の形態と同じく底部フレーム１０の端部エッジＢがガイド溝９の下面に斜め方向から引掛けられて圧縮方向の移動を阻止すると共にストッパＳが係止線条４に衝合して底部フレーム８，１０が上方に浮き上がるのをより強固に阻止している。
【００４２】
次に、図１５，図１６は、本発明の他の実施の形態に係るシートの定着装置を示す。
【００４３】
この実施の形態に係わるシートの定着装置は、図１のものと同じく、 水平な底部１ａと底部１ａの両端から起立する両側壁部１ｂ、１ｂとからなる開口部巾狭の長尺支持フレーム１と、長尺支持フレーム１内に移動自在に嵌合されて当該長尺フレーム１とでシート２を挾持する押えフレーム３と、押えフレーム３内に嵌合して当該押えフレームを上記両側壁部側に押圧する押圧部材たる係止線条４とからなるものである。
そして、上記押えフレーム３を中央の支持板２８と、支持板２８の両側に長手方向に沿って形成したガイド溝２９、２９と、上記両側壁部１ｂ、１ｂと同一角度に形成した左右一対の係止フレーム７、７と、各係止フレーム７、７の基端に任意の角度上方又は下方に傾斜して一体に連設した底部フレーム８、１０とで構成し、各底部フレーム８、１０を上記各ガイド溝２９、２９内にスライド自在に嵌合させ、次いで上記係止線条４で上記各係止フレーム７、７を上記両側壁部１ｂ、１ｂに押し当てた時上記一対の底部フレーム８、１０を傾斜させて上記各底部フレームが上記ガイド溝２９、２９内に復帰して侵入するのを阻止させるものである。
【００４４】
この実施の形態では、中央に支持板２８が配置されていることにより左右の係止フレーム７，７が圧縮方向に押されても一対の底部フレーム８，１０が上方に浮き上がるのが防止される。又、各底部フレーム８，１０の端部エッジＢ，Ｂがガイド溝２９，２９の下面に引掛けられ、ガイド溝２９，２９の端部エッジＣ，Ｃが底部フレーム８，１０の上面に引掛けられて各底部フレーム８，１０の圧縮方向への移動が阻止される。更に図１７，図１８は本発明の他の実施の形態に係るシートの定着装置を示す。
【００４５】
これは図１の場合と同じく、 水平な底部１ａと底部１ａの両端から起立する両側壁部１ｂ、１ｂとからなる開口部巾狭の長尺支持フレーム１と、長尺支持フレーム１内に移動自在に嵌合されて当該長尺支持フレーム１とでシート２を挾持する押えフレーム３と、押えフレーム３内に嵌合して当該押えフレーム３を上記両側壁部側に押圧する押圧部材たる係止線条４とからなるものである。
そして、上記押えフレーム３を中央の水平支持板３０と、上記両側壁部１ｂと同一角度に形成した左右一対の係止フレーム７、７と、各係止フレーム７、７の基端に任意の角度上方又は下方に傾斜して一体に連設した底部フレーム８、１０と、各底部フレーム８、１０に長手方向に沿って形成したガイド溝９、９とで構成し、各ガイド溝９、９内に水平支持板３０の両端部をそれぞれ嵌合させ、次いで上記係止線条４上記各係止フレーム７、７を上記両側壁部１ｂ、１ｂに押し当てた時上記一対の底部フレームを８、１０傾斜させて上記各底部フレーム８、１０が上記ガイド溝９、９内に復帰して侵入するのを阻止させるものである。
【００４６】
この実施の形態では、図１５の実施の形態と同じく、中央に水平支持板３０が配設されていることにより一対の底部フレーム８，１０が上方に浮き上がるのが防止される。又、係止フレーム７，７と底部フレーム８，１０がシート２からの荷重で圧縮方向の力を受けた時ガイド溝９，９の各端部のエッジＡ，Ａが水平支持板３０の上面に引掛けられ、水平支持板３０の端部下方のエッジＤ，Ｄがガイド溝９，９の下面に引掛けられて底部フレーム８，１０が圧縮方向に移動するのが阻止される。
【００４７】
尚、上記各図１０乃至図１８の実施形態において、各ガイド溝９，９ａと底部フレーム１０又は支持板３０との間に図４乃至図９に示すような滑り止め機構又は引掛機構を設けてもよい。更に、上記各実施の形態では底部フレーム８，１０は下方に傾斜しているが斜め上方に傾斜させてもよい。この場合は押えフレーム３が押し拡げられた時は逆Ｖ字状となり、上記と同じ作用，効果が得られる。
【００４８】
次に、図１９（Ａ）（Ｂ）乃至図２４（Ａ）（Ｂ）はシートの滑りを防止する機構の実施の形態を示す。
【００４９】
すでに述べたように、シート２は長尺支持フレーム１内に押えフレーム３を嵌合させ、長尺支持フレーム１の内面と押えフレーム３の外面とでシート２を挾持するから、シート２に外力が作用しても、シート２は普通の風等による外力では抜けない効果がある。しかし、シート２を硬質で表面がつるつるとした材質、例えば、硬質の合成樹脂で成形した場合、あるいは合成樹脂で成形したネットからなるシートの場合、このシート２は長尺支持フレーム１と押えフレーム３に対して滑り易くなる。この為、台風等の大きな外力がシート２に作用すると、シート２が上下方向にばたばたと振動し、長尺支持フレーム１から水平方向に向けて抜け出ようとする力がかかり、この引張力によりシート２が滑って抜け出てしまう。この為、このシート２を固定している骨組がゆがんだり、シート２の端部に設けた換気装置が開口してしまうようなおそれがある。
【００５０】
図１９乃至図２４に示すシートの滑り防止機構は上記のような不具合に対応できるようにしたものである。
【００５１】
図１９（Ａ）は図１乃至図３に示すシートの定着装置に利用したシート押えフレーム３の外面にシートの滑り止め機構５０を付加したものである。即ち、係止フレーム７と底部フレーム８，１０との交叉部外面に長手方向に沿って形成した多数ののこぎり歯状の溝５１からなれ滑り止め機構５０を設けたものである。のこぎり歯状の溝５１に代えて多数の凹凸であってもよい。
【００５２】
同じく図１９（Ｂ）は上記に加えて係止フレーム７とカール１１との交叉部外面に上記と同じのこぎり歯状の溝５２からなるもう一つの滑り止め機構５０を設けたものである。
【００５３】
この場合には押えフレーム３が長尺支持フレーム１内に嵌合するとシート２が長尺支持フレーム１と押えフレーム３とで教示されると共にシート２が滑り止め機構５１に引掛けられる。
【００５４】
この為、シート２に大きな台風等による外力が作用しても、この滑り止め機構５１が大きなフリクションをシート２に付与するので、シート２が滑りにくくなり、結果的にづるづると長尺支持フレーム１から水平方向に抜け出るのが防止される。滑り止め機構５１はシート２に対して挾持力が一番大き部位に設けるのが好ましいが、押えフレーム３の外面全域に形成してもよい。
【００５５】
図２０は滑り止め機構５０を設けた他の実施の形態を示し、これは係止フレーム７と底部フレーム８，１０との交叉部外面をざらざらとした粗面５２として成形し、この粗面５２でシート２に対するフリクションを付与するものである。
【００５６】
同じく図２１は滑り止め機構５０の他の実施の形態を示し、これは上記と同じ交叉部の外面に凹溝５３を形成し、この凹溝５３内に長手方向に沿って嵌合し又は貼着させたゴム５４から構成したものである。この場合にはゴム５４がシート２に対してフリクションを付与するものである。
【００５７】
同じく図２２も他の実施の形態を示し、これは上記と同じ交叉部にふき付けた塗料又は粒子５５で滑り止め機構５０を形成したものである。
【００５８】
更に図２３は他の実施の形態に係り、これは長尺支持フレーム１の鳩尾状溝１３の内面にのこぎり歯状の溝５６又は凹凸からなる滑り止め機構５０を形成したものである。この場合にもこの滑り止め機構５０がシート２にフリクションを付与する。
【００５９】
滑り止め機構５０は長尺支持フレーム１の内面全域に設けてもよく、上記の実施の形態と同じく、ざらざらとした粗面、ふき付けた塗料又は多数の粒子、嵌合又は貼着したゴム等であってもよい。
【００６０】
更に図２４は本発明の他の実施の形態に係り、これは図１と同じシートの定着装置における押えフレーム３を変形したものであり、挾持力の強化とシートの滑りを防止するものである。
【００６１】
即ち図１２（Ａ）に示すように押えフレーム３を構成する左右一対の係止フレーム７の上端を長尺支持フレーム１の両側壁部１ｂよりそれぞれ上方に延長してカール１１を形成し、このカール１１の端部にシート２を下方に付勢する板状の突起５６を下方に向けて設け、この突起５６をシートの挾持力付勢部材として利用している。この場合、突起５６の下端は長尺支持フレーム１のカール１ｃの頂部より下方まで突出しているのが好ましい。
【００６２】
この突起５６を使用することにより、シート２が展張された時シート２を突起５６がカール１ｃの頂部より下方に押圧し、シート２にテンションをかけている。これによりシート２がより張力に緊張する。しかも、シート２に風等の外力が作用した時シート２が矢印Ｘで示すように水平方向に引張り込まれ、この時シート２が突起５６を矢印Ｙで示すように上方に押し上げる。この為カール１１を介して係止フレーム７が長尺支持フレーム１のカール１ｃを支点にして回転し、矢印Ｚで示すように係止フレーム７がシート２をより締め付ける方向に付勢されシート２に対する挾持力を増大し、シート２の滑りを防止する。
【００６３】
図２４（Ｂ）（Ｃ）はカール１１の上端を変曲又はほぼ水平に、この端部に断面円形状突起５６ａ，５６ｂを変形し、突起５６ａ，５６ｂでシート２を下方
に付勢しているものである。作用，効果は図１２（Ａ）の場合と同じである。
【００６４】
【発明の効果】
本発明によれば、次の効果がある。
【００６５】
(1) 請求項１乃至６の発明によれば、ガイド溝を介して底部フレームを嵌合しているから、このガイド溝を介して係止フレームを圧縮方向，拡径方向にスライドでき、通常は圧縮してコンパクトにでき、搬送，格納が容易となる。使用時には押圧部材が両側フレームを拡径方向たる両側壁方向にスライドさせるから各係止フレームと長尺支持フレームとでシートを挾持し、シートのたるみ、シワの発生を防止し、又シートのこすれによる破断を防止する。
【００６６】
(2) 請求項１乃至６の発明によれば、底部フレーム同士が嵌合し又は中央に支持板が存在しているから、この底部フレーム又は支持板が押えフレーム全体を補強し、シートからの張力が圧縮方向に作用しても両側フレームが折れ曲ったり、そり返えることが防止され、従って押えフレームの長尺支持フレームに対する着脱操作が著しく向上し、従ってシートの定着作業が向上し、作業能率の向上と作業コストの低減が図れる。
【００６７】
(3) 同じく、請求項１乃至６の発明によれば、係止フレームが両側壁部と同じ角度で、底部フレームが上方又は下方に傾斜しているから、押えフレームが左右に拡径した時傾斜して例えばＶ字状となり、更にシートから圧縮方向の力を受けるとより鋭角なＶ字状になろうとし、これにより底部フレームの端部エッジが引っ掛って圧縮方向の移動が阻止され、即ち、上記各底部フレームが上記ガイド溝内に復帰して侵入するのが阻止され、シートの挾持を維持できる。更に押えフレームがＶ字状となった時長尺支持フレームとで剛性のある構造体となり、シートの定着装置自体がビニールハウスの剛性のある骨組となる。
【００６８】
(4) 請求項６の発明によれば、滑り止め機構又は引掛機構を備えているから、より強固に押えフレームが圧縮するのを防止できる。
【００６９】
(5) 請求項７，８，９の発明によれば、シートの滑り止め機構を設けたので、この機構がシートに台風等の大きな外力が作用してもフリクションを付与し、シートの滑り抜けを防止できる。
【図面の簡単な説明】
【図１】本発明の一実施の形態に係るシートの定着装置の使用状態を示す斜視図である。
【図２】図１の分解斜視図である。
【図３】（Ａ）図１の縦断拡大正面図である。
（Ｂ）図１の一部拡大正面図である。
【図４】他の実施の形態に係る押圧フレームの縦断正面図である。
【図５】他の実施の形態に係る押圧フレームの縦断正面図である。
【図６】他の実施の形態に係る押圧フレームの縦断正面図である。
【図７】他の実施の形態に係る押圧フレームの縦断正面図である。
【図８】他の実施の形態に係る押圧フレームの縦断正面図である。
【図９】他の実施の形態に係るシートの定着装置の縦断正面図である。
【図１０】他の実施の形態に係る押圧フレームの縦断正面図である。
【図１１】図１１の押圧フレームを利用した他のじ」つしの形態に係るシートの定着装置の縦断正面図である。
【図１２】他の実施の形態に係る押圧フレームの縦断正面図である。
【図１３】図１２の押圧フレームを利用した他の実施の形態に係るシートの定着装置の縦断正面図である。
【図１４】他の実施の形態に係る押圧フレームの縦断正面図である。
【図１５】他の実施の形態に係る押圧フレームの縦断正面図である。
【図１６】図１５の押圧フレームを利用した他の実施の形態に係るシートの定着装置の縦断正面図である。
【図１７】他の実施の形態に係る押圧フレームの縦断正面図である。
【図１８】図１７の押圧フレームを利用した他の実施の形態に係るシートの定着装置の縦断正面図である。
【図１９】（Ａ）（Ｂ）はシートの滑り止め機構の一実施の形態を示す斜視図である。
【図２０】他の実施の形態に係るシートの滑り機構を示す斜視図である。
【図２１】他の実施の形態に係るシートの滑り機構を示す斜視図である。
【図２２】他の実施の形態に係るシートの滑り機構を示す斜視図である。
【図２３】他の実施の形態に係るシートの滑り機構を示す斜視図である。
【図２４】（Ａ）（Ｂ）は他の実施の形態に係るシートの滑り機構を示す斜視図である。
【符号の説明】
１  長尺支持フレーム
１ａ  水平な底部
１ｂ  両側壁部
２  シート
３  押えフレーム
６  押圧部材
７  係止フレーム
８，１０  底部フレーム
９，２９  ガイド溝
２８  支持板
３０  水平支持板
５０  滑り止め機構
５６  突起
Ｓ  ストッパ
【図１】
0004504514.tif 000002
【図２】
0004504514.tif 000003
【図３】
0004504514.tif 000004
【図４】
0004504514.tif 000005
【図５】
0004504514.tif 000006
【図６】
0004504514.tif 000007
【図７】
0004504514.tif 000008
【図８】
0004504514.tif 000009
【図９】
0004504514.tif 000010
【図１０】
0004504514.tif 000011
【図１１】
0004504514.tif 000012
【図１２】
0004504514.tif 000013
【図１３】
0004504514.tif 000014
【図１４】
0004504514.tif 000015
【図１５】
0004504514.tif 000016
【図１６】
0004504514.tif 000017
【図１７】
0004504514.tif 000018
【図１８】
0004504514.tif 000019
【図１９】
0004504514.tif 000020
【図２０】
0004504514.tif 000021
【図２１】
0004504514.tif 000022
【図２２】
0004504514.tif 000023
【図２３】
0004504514.tif 000024
【図２４】
0004504514.tif 000025